(57)【要約】【課題】  ４方向カセット型の空調機としての優れた構造を基本に、２方向カセット型に求められる機能、デザイン性を継承するとともに、空調性をも向上させた２方向天井埋込型空気調和装置を提供する。【解決手段】  送風機１１及びこの送風機の周囲に配置された熱交換器２１を有するケーシング２と、このケーシングの開口部を覆う化粧パネル７とを備え、この化粧パネル及びケーシングがほぼ正方形状に形成され、化粧パネルのほぼ中央には開口を有し、この開口のほぼ中央には遮蔽パネル８が設けられ、この遮蔽パネルの周囲に当該中央開口に連なる吸込口３が形成され、化粧パネルの対向する２辺にはケーシング２の内法にほぼ相当して延出する吹出口４が形成されている。【選択図】      図１
2005188768.tif 000002
【特許請求の範囲】
【請求項１】
遠心送風機及びこの送風機の周囲に配置された熱交換器を有するケーシングと、このケーシングの開口部を覆う化粧パネルとを備え、この化粧パネル及び前記ケーシングがほぼ正方形状に形成され、前記化粧パネルのほぼ中央には開口を有し、この開口のほぼ中央には遮蔽パネルが設けられ、この遮蔽パネルの周囲には当該開口に連なる吸込口が形成され、前記化粧パネルの対向する２辺には前記ケーシングの内法にほぼ相当して延出する吹出口が形成されている２方向天井埋込型空気調和装置において、
前記吹出口には、水平方向の風向の変更を行う水平フラップと、垂直方向の風向の変更を行う垂直フラップとを備えることを特徴とする２方向天井埋込型空気調和装置。
【請求項２】
前記水平フラップと前記垂直フラップとは、前記化粧パネル側へ設けられていることを特徴とする請求項１に記載の２方向天井埋込型空気調和装置。
【請求項３】
前記垂直フラップは、暗色系の塗装とされて前記吹出口から吹出される空気の流通方向に対し、前記水平フラップの上流側へ設けられていることを特徴とする請求項１または請求項２に記載の２方向天井埋込型空気調和装置。
【発明の詳細な説明】
【技術分野】
【０００１】
本発明は、天井裏に埋め込まれるケーシングと、天井に露出してケーシングの開口を覆う化粧パネルとを有した２方向天井埋込型空気調和装置に関する。
【背景技術】
【０００２】
一般に、遠心送風機の周囲に円形、もしくは多角形で当該送風機を囲むように熱交換器を配置し、送風機の下部から吸った室内空気を、熱交換器を通して熱交換し、この熱交換した空調空気を室内に吹出す形式の天井埋込型空気調和装置が知られている（例えば、特許文献１参照）。この種のものでは、天井裏に埋め込まれるケーシングと、天井に露出してケーシングの開口を覆う化粧パネルとを有し、この化粧パネルの４辺に吹出口（４方向カセット型）を備え、或いは２辺に吹出口（２方向カセット型）を備えて構成される。
【０００３】
４方向カセット型では、一般に、遠心送風機にターボファンが用いられており、ほぼ正方形のケーシング内に収められる。また、この４方向カセット型では、ほぼ正方形の化粧パネルを備えて構成され、実際にはオフィスに良く見られる簡易な天井板（ジプトーン約９００ｍｍ角）１枚をはずした正方形の開口部に吊りボルトも含めてユニットがちょうど収まるサイズになっており、施工性が向上されてたものとなっている。
【０００４】
しかしながら、４方向カセット型は、空調機として小型化、高効率化、施工性向上を実現しているものの、オフィスのインテリアでは照明器具をライン上に整然と並べて空調機もデザインに方向性を持たせて、照明のラインに合わせ、オフィス天井をすっきりと見せようとした場合、この４方向カセット型では、一部の吹出口が照明ラインに直交してしまうため、そうでないものに比べ、意匠性が損なわれるという問題がある。
【０００５】
また、４方向カセット型では天井裏のユニット高さを極力抑えるため、パネルの吸い込み部を格子状にしているが、この構成では、下から吸込口（フィルタ）が直接見え、意匠性が低下し、清潔感に欠けるという問題がある。
【０００６】
これに対し、従来、２方向カセット型が提案されており、この２方向カセット型では、下から吸込口（フィルタ）が直接見えないように遮蔽パネルを設け、スリット状の吸込口からクランクさせて空気を吸い込む構造をとっており、格子状のものに比べてすっきり見え清潔感があると共に、２つの吹出口による方向性を照明ラインの方向性と合わせることができるため、インテリアのデザイン性を向上させようとする、建築デザイナーの意図を十分反映させることができるものとなっている。
【特許文献１】特開平５−１８７６４９号公報
【発明の開示】
【発明が解決しようとする課題】
【０００７】
しかし、従来の２方向カセット型では、化粧パネルが長方形を呈しているため、簡易天井パネル（ジプトーン）１枚を外しても、そこにぴったり収まるサイズとならず、施工性が低下する等の問題があると共に、熱交換器で熱交換された空気を吹出す吹出口が、化粧パネルの対向する２辺にしか設けられていないため、設置された室内に温度ムラが発生し易い傾向となるといった問題があった。
【０００８】
そこで、本発明の目的は、上述した従来の技術が有する課題を解消し、４方向カセット型の空調機としての優れた構造を基本に、２方向カセット型に求められる機能、デザイン性を継承するとともに、空調性をも向上させた２方向天井埋込型空気調和装置を提供することにある。
【課題を解決するための手段】
【０００９】
上記課題を解決するために、本発明は、遠心送風機及びこの送風機の周囲に配置された熱交換器を有するケーシングと、このケーシングの開口部を覆う化粧パネルとを備え、この化粧パネル及び前記ケーシングがほぼ正方形状に形成され、前記化粧パネルのほぼ中央には開口を有し、この開口のほぼ中央には遮蔽パネルが設けられ、この遮蔽パネルの周囲には当該開口に連なる吸込口が形成され、前記化粧パネルの対向する２辺には前記ケーシングの内法にほぼ相当して延出する吹出口が形成されている２方向天井埋込型空気調和装置において、前記吹出口には、水平方向の風向の変更を行う水平フラップと、垂直方向の風向の変更を行う垂直フラップとを備えることを特徴とするものである。
【００１０】
また、前記水平フラップと前記垂直フラップとは、前記化粧パネル側へ設けられていることを特徴とするものである。
【００１１】
さらに、前記垂直フラップは、暗色系の塗装とされて前記吹出口から吹出される空気の流通方向に対し、前記水平フラップの上流側へ設けられていることを特徴とするものである。
【発明の効果】
【００１２】
本発明では、遠心送風機とこの送風機からの吐出空気がほぼ均等に当たるようにこの送風機を囲んで配置される熱交換器とを備える空調機としての優れた構造を基本に、２方向カセット型に求められる機能、デザイン性を継承すると共に、前記熱交換器で熱交換された空気を設置された室内全体へ吹出して空調性の向上を図ることができる。
【発明を実施するための最良の形態】
【００１３】
以下、図面を参照して本発明の一実施の形態について説明する。
【００１４】
図１は、本実施形態による２方向カセット型空調機の断面図である。この図１において、１は２方向天井埋込型空気調和装置を示している。
【００１５】
この２方向天井埋込型空気調和装置１は、天井内部に収納される板金製のケーシング２と、このケーシング２の下面に配置される化粧パネル７であって、外周部の２辺に吹出口４を有し、天井孔５を塞ぐように天井面６に設けられた化粧パネル７と、この化粧パネル７に形成される開口の中央に配置され、その周囲に当該中央開口に連なる吸込口３が形成された遮蔽パネル８とにより構成されている。９ａは化粧パネル７の吹出口４に設けられた上下向の風向変更用の水平フラップであり、９ｂは前記化粧パネル７の吹出口に設けられた左右方向の風向変更用の垂直フラップである。
【００１６】
１１はターボファン１２と天板１３に取り付けられたファン用モータ１４からなる遠心送風機、１５は吸込口３からの室内空気をターボファン１２に案内するノズル口、１６は内側立上がり部１７と外側立上がり部１８とを有し、角張った環形状に発泡スチロールで形成されたドレンパン、２１はターボファン１２の吐出側にこのファンを取り囲むように環状に配置されたプレートフィン型の熱交換器である。そして、２２はケーシングの周面に巻付けられた断熱材、２３は前記熱交換器で熱交換された空気を吹出口４へ導く導風部、２４はケーシング２を吊具で天井梁に吊下げるための吊下げボルト、２５は遮蔽パネル８の下流側に取り付けられたフィルタである。
【００１７】
板金製のケーシング２は、図２に示すように、４辺２Ａ〜２Ｄの長さがほぼ等しい正方形の外観形状を呈し、その内部中央には、図３に示すように、送風機１１と、送風機１１の周囲に配置されるプレートフィン型の熱交換器２１とが配置されている。また、図３に示すケーシング２の２点破線で囲う部分は、化粧パネル７の吹出口４に対応した位置を示し、図２に示すように、ケーシング２の下面に化粧パネル７を取り付けたときには、上記の２点破線で囲う部分が吹出口４に連通する。
【００１８】
化粧パネル７は、ケーシング２と同様に、４辺７Ａ〜７Ｄの長さがほぼ等しい正方形の外観形状を呈し、化粧パネル７のほぼ中央には開口を有し、この開口のほぼ中央には遮蔽パネル８が設けられ、この遮蔽パネル８の四方の周囲には当該中央開口に連なる吸込口３（図１参照）が形成されている。
【００１９】
２つの吹出口４は、化粧パネル７の対向する２辺７Ａ，７Ｃに沿って形成されると共に、各吹出口４は、図３からも明らかなように、ケーシング２の内法にほぼ相当する長さを有して形成されている。また、これら吹出口４には、該吹出口４から吹出される空気の風向を室内の上下方向へと移向させる水平フラップ９ａが設けられ、この水平フラップ９ａの上流側には、前記空気の風向を前記室内の左右方向へと移向させる垂直フラップ９ｂが暗色系の塗装が施されて設けられており、これらフラップ９ａ、９ｂは、夫々、この化粧パネル７に設けられた駆動機構４０ａ、４０ｂにより駆動されるものとなっている。
【００２０】
この駆動機構４０ａ、４０ｂは、図示しないリモコン等の操作部により操作されるものとなっており、前記上下方向および前記左右方向のそれぞれの風向を各々所望の風向位置に固定することや、夫々の風向を連続して移動させる、いわゆるスイング送風が可能となっている。
【００２１】
これにより、吹出口４、４から吹出された空気を、この２方向天井埋込型空気調和装置１が据付けられた室内の各所へ向けて吹出すことが可能となり、温度ムラの発生を解消して快適な空調性を得ることができる。また、垂直フラップ９ｂは、吹出口４から吹出される空気の流通に対し、水平フラップ９ａの上流側に設けられていることから、あまり目立たず、インテリアの意匠性が損なわれることもない。
【００２２】
なお、この水平フラップ９ａ、垂直フラップ９ｂは、前記駆動機構４０ａ、４０ｂを備えず、手動により使用者が設定する任意の風向に設定されるものとしても構わない。
【００２３】
図３に示すように、熱交換器２１は送風機１１の周囲を囲うように、ほぼ六角形状に曲げられており、長手方向の長さＬ１が、ケーシング２の２辺２Ｂ，２Ｄ（吹出口４の形成された２辺７Ａ，７Ｃ以外の残りの２辺７Ｂ，７Ｄに相当するケーシングの２辺２Ｂ，２Ｄ）の内法にほぼ相当して一杯一杯に延出し、しかも、短手方向の長さＬ２が、２つの吹出口４の間に一杯一杯に延出するように、曲げられて形成されている。ケーシング２の内部に、可能な限りに大きく形成した熱交換器２１を配置することにより、熱交換の容量を増大させることができ、ケーシング２のコンパクト化が図られる。
【００２４】
ケーシング２の２辺２Ｂ，２Ｄ（吹出口４の形成された２辺７Ａ，７Ｃ以外の残りの２辺７Ｂ，７Ｄに相当するケーシングの２辺２Ｂ，２Ｄ）のうち、一方の辺２Ｂの側壁２Ｅは、２カ所で内方に山形状にくぼみ、このくぼんだ２カ所の側壁２Ｅに吊り金具２Ｆがケーシング２の側方に張り出さないように固定されている。また、他方の辺２Ｄの側壁２Ｇは、中央で大きく台形状にくぼみ、このくぼんだ側壁２Ｇの傾斜部２Ｈに、同じく吊り金具２Ｆがケーシング２の側方に張り出さないように固定されている。ケーシング２の吊り金具２Ｆがケーシング２の側方に張り出さないように固定されるため、例えば工場出荷時におけるケーシング２の段ボール梱包が容易になると共に、ケーシング２を天井裏に設置するとき、天井面６の天井孔５の大きさを、ケーシング２の大きさよりもわずかに大きく形成するだけでよく、据え付け作業が簡単になる。
【００２５】
ケーシング２はほぼ正方形であり、その側方に吊り金具２Ｆ等の余分な部品が張り出さないため、一般に普及された簡易天井パネル（ジプトーン）１枚を外した場合、そこにぴったり収まるサイズにケーシング２を形成することができる。
【００２６】
また、他方の辺２Ｄのくぼんだ側壁２Ｇの平坦部２Ｉには、電装箱３１がケーシング２の側方に張り出さないように固定されている。電装箱３１の幅寸法Ｗは、図２に示すように、平坦部２Ｉの幅寸法Ｗ１のほぼ半分ほどであり、その高さＨはケーシング２の高さにほぼ等しく設定されている。電装箱３１がケーシング２の側方に張り出さないため、例えば工場出荷時におけるケーシング２の段ボール梱包が容易になると共に、ケーシング２を天井裏に設置するとき、天井面６の天井孔５の大きさを、ケーシング２の大きさよりもわずかに大きく形成するだけでよく、据え付け作業が簡単になる。
【００２７】
くぼんだ側壁２Ｇの平坦部２Ｉには、電装箱３１のほかに、配管類の取り出しスペース３３が設けられ、このスペース３３からは熱交換器２１から延びる液管２１Ａ、ガス管２１Ｂ並びにドレン排出管２１Ｃ等がまとめて導出されている。
【００２８】
電装箱３１と横並びに配管類の取り出しスペース３３が設けられているため、熱交換器２１から延びる液管２１Ａ、ガス管２１Ｂ並びにドレン排出管２１Ｃ等のメンテナンスと、電装箱３１のメンテナンスとを、同一辺２Ｄ側から実施することができ、作業の効率化が図られる。
【００２９】
図２に示すように、吹出口４の形成された２辺７Ａ，７Ｃ以外の残りの化粧パネル７の２辺７Ｂ，７Ｄには、化粧パネル７の表面から裏面に貫通するメンテナンス用のサービス開口７Ｅ，７Ｆ，７Ｇが形成され、この開口７Ｅ，７Ｆ，７Ｇの化粧パネル７の表面側には、図４に示すように、大きな開口７Ｅを覆うメンテナンスカバー３５Ａと、２つの開口７Ｆ，７Ｇを一度に覆うメンテナンスカバー３５Ｂとが着脱自在に設けられている。
【００３０】
メンテナンスカバー３５Ａとメンテナンスカバー３５Ｂとは同一形状、同一デザインであり、デザイン上の統一が図られている。
【００３１】
図１では、天井裏に吊り下げられたケーシング２に対し化粧パネル７が取り付けられている。この状態において、メンテナンスカバー３５Ａ及びメンテナンスカバー３５Ｂを取り外すと、開口７Ｅ，７Ｆ，７Ｇに吊り金具２Ｆが露出する。施工時には、この吊り金具２Ｆに吊下げボルト２４を引っ掛けて、ケーシング２を天井裏に吊っているが、この吊下げボルト２４によるケーシング２の吊り下げ高さを、開口７Ｅ，７Ｆ，７Ｇを通じて簡単に調整することができる。
【００３２】
上記構成では、ほぼ正方形からなる外観形状のケーシング２の中央部にターボファン１２を配置すると共に、このターボファン１２の周囲に、ターボファン１２に対しほぼ均等距離に位置するように熱交換器２１を配置し、この熱交換器２１を図３に示すように六角形状に曲げて形成している。
【００３３】
これによると、熱交換器２１のどの部位においても均等な熱交換を行うことができると共に、２つの吹出口４を配置しやすくなっており、また、熱交換器２１を通過した空気を２つの吹出口４に導きやすい内部レイアウトが可能となっている。２つの吹出口４は、ほぼ正方形の化粧パネル７に対し、なるべく長くなるように形成されており、２つの吹出口４で４方向の吹出口と同等の吹出し面積を持つように形成されている。２方向カセットのパネルと室内機では、従来、例えば、能力に応じて長さ違いを３種類程度用意しているが、ケーシング２の高さの異なるものを用意し、熱交換器２１の高さ方向の寸法を変えて、該熱交換器２１の熱交換能力を変更することにより、化粧パネル７については一種類で２〜６馬力に対応できるようになっている。吸込み部に従来のように格子を用いず、遮蔽パネル８の周囲から吸い込むように形成し、遮蔽パネル８は、天井材と同一部材をはめ込むことも考慮されている。
【００３４】
４方向カセットもそうであるが正方形にこだわるのは簡易天井パネル（ジプトーン）１枚のサイズにぴったり収まるサイズを考慮しているからであり、目安として本体は約８５０ｍｍ角、パネルは約９５０ｍｍ角に形成されている。
【００３５】
上記構成では、化粧パネル７の吹出口４が２つで互いに平行に延びている。従って、オフィスのインテリアで照明器具をライン上に整然と並べた場合、吹出口４を照明のラインに合わせることができる。また、この吹出口４には、水平方向へ吹出空気を移向させる水平フラップ９ａと、左右方向へ前記吹出空気を移向させる垂直フラップ９ｂとが、設けられているため、より広い範囲へ前記吹出空気を到達させることができる。よって、オフィス天井をすっきりと見せることができ、意匠性を損なうことがないと共に、この２方向埋込型空気調和装置が据付けられた室内を一様に空調できるため、快適な空調性を得ることができる。また、４方向カセット型では天井裏のユニット高さを極力抑えるため、パネルの吸い込み部を格子状にしているが、本構成では、パネルの吸い込み部に遮蔽パネルが設けられている。これによると、下から吸込口（フィルタ）が直接見えることがなく、また、吹出口４の垂直フラップ９ｂも暗色系の塗装が施され、水平フラップ９ａより吹出口４の奥側に設けられているため、あまり目立つこともなく、意匠性が向上する等、インテリアのデザイン性を向上させようとする、建築デザイナーの意図を十分反映させることができる。
【００３６】
上述した実施形態は、あくまでも本発明の一態様にすぎず、本発明の範囲内で任意に変形可能である。
【図面の簡単な説明】
【００３７】
【図１】本発明の一実施形態を示す断面図である。
【図２】ケーシングと化粧パネルを示す分解斜視図である。
【図３】ケーシングの内部を示す平面図である。
【図４】化粧パネルの表面側を示す平面図である。
【符号の説明】
【００３８】
１  天井埋込型空気調和装置
２  ケーシング
２Ｇ  くぼんだ側壁
２Ｈ  傾斜部
２Ｆ  吊り金具
２Ｉ  平坦部
７  化粧パネル
８  遮蔽パネル
９ａ  水平フラップ
９ｂ  垂直フラップ
１１  送風機
１２  ターボファン
２１  熱交換器
２４  下げボルト
３１  電装箱
４０ａ、４０ｂ  駆動機構
【図１】
2005188768.tif 000003
【図２】
2005188768.tif 000004
【図３】
2005188768.tif 000005
【図４】
2005188768.tif 000006